(57)【要約】【課題】製造時、鍵違いの増大化を得ることができる多種類のシリンダー錠を提供すること。【解決手段】外筒体に回動自在に嵌合すると共に半径方向の解錠切欠を有する内筒体と、この内筒体に設けられていると共にロックカム溝と係脱するロッキングバーと、内筒体のタンブラー収容部にダンブラーバネのバネ力に抗して半径方向にスライド自在に設けられかつ合鍵のブレードの異なる部位にそれぞれ形成された被係合部分に対応して係合する係合部分をそれぞれ有し、内筒体の回転軸方向に配設された可動障害子とから成り、可動障害子の少なくとも一枚は二分割され、二分割された分割片は内筒体の回転軸と直交する軸直角断面上にガイド棒を介して位置していると共に、これらの分割片に形成された前記係合部分は、少なくとも互いに異なる形状又は異なる位置に形成されたいずれか一方であるローのタリーディスクタンブラー錠。【選択図】図１０
2014163207.tif 000002
【特許請求の範囲】
【請求項１】
内周面にロックカム溝を有する長筒状の外筒体と、この外筒体に回動自在に嵌合すると共に半径方向の解錠切欠を有する内筒体と、この内筒体に設けられていると共に前記ロックカム溝と係脱するロッキングバーと、前記内筒体のタンブラー収容部にダンブラーバネのバネ力に抗して半径方向にスライド自在に設けられ、かつ合鍵のブレードの異なる部位にそれぞれ形成された被係合部分に対応して係合する係合部分をそれぞれ有し、前記内筒体の回転軸方向に配設された可動障害子とから成り、合鍵のブレードを内筒体のキー孔に差し込んだ時、前記ブレードの各被係合部分に前記可動障害子の各係合部分がそれぞれ係合することにより、所定方向に移動した該可動障害子の各受け入れ凹所が前記ロッキングバーの係合板部分に対して一致し、以て、合鍵と共に内筒体を解錠方向へ回動させた時、前記ロックカム溝と前記ロッキングバーとの間に生じる楔作用により、内筒体が外筒体に対して相対回動するロータリーディスクタンブラー錠に於いて、前記可動障害子の少なくとも一枚は二分割され、二分割された分割片は前記内筒体の回転軸と直交する軸直角断面上にガイド棒を介して位置していると共に、これらの分割片に形成された前記係合部分は、少なくとも互いに異なる形状又は異なる位置に形成されたいずれか一方であるローのタリーディスクタンブラー錠。
【請求項２】
請求項１に於いて、分割片に形成された係合部分は、互いに異なる形状及び異なる位置に形成されていることを特徴とするロータリーディスクタンブラー錠。
【請求項３】
請求項１に於いて、可動障害子の中には、環状に形成されたダンブラーが含まれていることを特徴とするロータリーディスクタンブラー錠。
【請求項４】
請求項１に於いて、可動障害子は、合鍵のブレードの外周面に形成された長溝と窪みとの間に非連通状態に位置し、かつ平面視上前記外周面から中央部寄りの部位に向かって形成された切欠溝と係合する第１ダンブラーと、合鍵のブレードの平面視上の中央部部分にブレードの挿入方向に沿って波状に形成された前記長溝と係合する第２ダンブラーと、合鍵のブレードの側面視上の側壁部分に形成された前記窪みと係合する第３ダンブラーとから成ることを特徴とするロータリーディスクタンブラー錠。
【発明の詳細な説明】
【技術分野】
【０００１】
本発明はロータリーディスクタンブラー錠（シリンダー錠）に関し、特に可動障害子が外筒体の半径方向にスライドする方式のロータリーディスクタンブラー錠（シリンダー錠）に関する。
【背景技術】
【０００２】
特許文献１は、「タンブラー」と称される可動障害子が支軸を中心にして揺動する振り子式のロータリーディスクタンブラー錠である点で、本発明とは技術的原理が相違する。また特許文献２は、本発明と同様に可動障害子が直線移動するスライド方式のロータリーディスクタンブラー錠なので、本発明と技術的原理が同じである。これらの特許文献に記載の公知発明は、「鍵違いの増大化」を図ることができる点で、本発明の課題と共通するものの、錠前を構成する各部材が同一であっても、可動障害子の配列を任意に変更することにより、鍵違いの増大化を得ることができる多種類のシリンダー錠を提供することができないという問題点がある。
【先行技術文献】
【特許文献】
【０００３】
【特許文献１】特許第４００８３０２号
【特許文献２】特開２０１１−７４６１３号
【発明の概要】
【発明が解決しようとする課題】
【０００４】
本発明の所期の目的は、製造時、錠前を構成する各部材が同一であっても、上下或いは左右に二分割されたタンブラーを任意に組み合わせることによって、鍵違いの増大化を得ることができるシリンダー錠を提供することである。第２の目的は、本発明の所期の目的を前提として、より一層の鍵違いの増大化を得ることができるシリンダー錠を提供することである。第３の目的は、製造時、錠前を構成する各部材が同一であっても、係合部分の形状や位置が異なるタンブラーを組み合わせることによって、鍵違いが可能な多種類のシリンダー錠を提供することができることである。
【課題を解決するための手段】
【０００５】
本発明のロータリーディスクタンブラー錠は、内周面にロックカム溝を有する長筒状の外筒体と、この外筒体に回動自在に嵌合すると共に半径方向の解錠切欠を有する内筒体と、この内筒体に設けられていると共に前記ロックカム溝と係脱するロッキングバーと、前記内筒体のタンブラー収容部にダンブラーバネのバネ力に抗して半径方向にスライド自在に設けられ、かつ合鍵のブレードの異なる部位にそれぞれ形成された被係合部分に対応して係合する係合部分をそれぞれ有し、前記内筒体の回転軸方向に配設された可動障害子とから成り、合鍵のブレードを内筒体のキー孔に差し込んだ時、前記ブレードの各被係合部分に前記可動障害子の各係合部分がそれぞれ係合することにより、所定方向に移動した該可動障害子の各受け入れ凹所が前記ロッキングバーの係合板部分に対して一致し、以て、合鍵と共に内筒体を解錠方向へ回動させた時、前記ロックカム溝と前記ロッキングバーとの間に生じる楔作用により、内筒体が外筒体に対して相対回動するロータリーディスクタンブラー錠に於いて、前記可動障害子の少なくとも一枚は二分割され、二分割された分割片は前記内筒体の回転軸と直交する軸直角断面上にガイド棒を介して位置していると共に、これらの分割片に形成された前記係合部分は、少なくとも互いに異なる形状又は異なる位置に形成されたいずれか一方であることを特徴とする。
【０００６】
上記構成に於いて、分割片に形成された係合部分は、互いに異なる形状及び異なる位置に形成されていることを特徴とする。また、可動障害子には環状に形成されたタンブラーが含まれていることを特徴とする。さらに、可動障害子は、合鍵のブレードの外周面に形成された長溝と窪みとの間に非連通状態に位置し、かつ平面視上前記外周面から中央部寄りの部位に向かって形成された切欠溝と係合する第１ダンブラーと、合鍵のブレードの平面視上の中央部部分にブレードの挿入方向に沿って波状に形成された前記長溝と係合する第２ダンブラーと、合鍵のブレードの側面視上の側壁部分に形成された前記窪みと係合する第３ダンブラーとから成ることを特徴とする。
【発明の効果】
【０００７】
（ａ）請求項１に記載の発明は上下或いは左右に二分割されたダンブラーを任意に組み合わせることによって、鍵違いの増大化を得ることができるシリンダー錠を提供することができる。
（ｂ）請求項２及び請求項３に記載の各発明は、本発明の所期の目的を前提として、係合部分は互いに異なる形状及び異なる位置に形成されているので、より一層の鍵違いの増大化を得ることができるシリンダー錠を提供することができる。
（ｃ）請求項４に記載の発明は、製造時、錠前を構成する各部材が同一であっても、３種類以上のダンブラーを組み合わせることによって、さらに多くの鍵違いが可能な多種類のシリンダー錠を提供することができる。
【図面の簡単な説明】
【０００８】
図１乃至図１３は本発明の第１実施形態を示す各説明図。図１４至図１６は本発明の第２実施形態を示す各説明図。図１７至図１９は本発明の第３実施形態を示す各説明図。図２０乃至図２３は、その他のタンブラーの設計変更を示す各説明図。
【図１】使用態様の一例を示す外観斜視図。
【図２】図１で示したタンブラー錠Ｘの軸線０を含む面で切断した概略縦断面図。
【図３】合鍵の挿入方向Ａに直交する第１面で切断した概略縦断面図（二分割された第１タンブラーが見える）。
【図４】合鍵の挿入方向Ａに直交する第２面で切断した概略縦断面図（二分割された第２タンブラーが見える）。
【図５】合鍵の挿入方向Ａに直交する第３面で切断した概略縦断面図（環状の第３タンブラーが見える）。
【図６】内筒体を構成する主たる部材の概略説明図（便宜上、第１タンブラーも共に示す）。
【図７】第１タンブラーの正面図。
【図８】第２タンブラーの正面図。
【図９】第３タンブラーの正面図。
【図１０】シリンダー錠の内部構造を示す説明図（断面の位置によって第１乃至が見える）。
【図１１】（ａ）と（ｂ）と（ｃ）は、第１乃至第３タンブラーの配列パターン（例えば便宜上６枚で組み合わせた場合）の一例を示す説明図。
【図１２】合鍵のブレードの一例を示す斜視からの説明図。
【図１３】３種類の可動障害子Ｘの各係合部分との係合関係を示す概略説明図。
【図１４】第２実施形態を示す図１０と同様の説明図。
【図１５】（ａ）第１タンブラー、（ｂ）第２タンブラー、（ｃ）第３タンブラーの各説明図。
【図１６】第２実施形態に適合する合鍵の説明図。
【図１７】第３実施形態の説明図。
【図１８】第３タンブラーの設計変更例を示す説明図。
【図１９】第３実施形態に適合する合鍵の説明図。
【図２０】第１実施形態で示した第１タンブラー４１の設計変更の概略説明図。
【図２１】第２タンブラー５１の設計変更の概略説明図。
【図２２】第３タンブラー６１の設計変更の概略説明図。
【図２３】第３実施形態の第３タンブラー６１の設計変更の概略説明図。
【発明を実施するための最良の形態】
【０００９】
図１乃至図１３は、本発明の一実施形態のロータリーディスクタンブラー錠Ｘ（以下、「タンブラー錠」という。）の各説明図である。図１は本発明のタンブラー錠Ｘを扉１の壁部１ａに取り付け、それと共に合鍵Ｙを示した外観斜視図である。まずこの図１に於いて、Ｘはタンブラー錠で、このタンブラー錠Ｘは合鍵Ｙの操作力により、複数の部材を組み合わせて形成された内筒体３が長筒状の外筒体２に対して相対回動する。
実施形態では、扉１（例えば、住宅の扉、自動販売機の扉など）の壁部１ａにタンブラー錠Ｘが水平状態に固着され、前記内筒体３を構成する錠先端部４に化粧カバー５が外嵌合している。
【００１０】
図１で示すようにキー孔６を有する錠先端部４及び化粧カバー５は、壁部１ａの外壁面から突出している。また内筒体３を構成する錠後端部７は、外筒体２あるいは内筒体３の回転軸線０上に位置するテールピース（出力片）８を有している。なお、符号Ａは合鍵Ｙの挿入方向である。本発明のタンブラー錠Ｘは、複数枚の可動障害子Ｚが、上下或いは左右に二分割されている点、二分割されたタンブラーを任意に組み合わせることによって鍵違いの増大化を得ることができる点、これらのタンブラーにそれぞれ形成された各係合部分４５、５５、６５が合鍵Ｙの被係合部分ａ、ｂ、ｃに同時に係合する点に特徴がある。
【００１１】
次に、図２は図１で示したタンブラー錠Ｘの回転軸線０を含む面で切断した概略縦断面図である。一方、図３は合鍵Ｙの挿入方向Ａに直交する面で切断した概略縦断面図である。図２及び図３を参照してタンブラー錠Ｘの基本的な構成部材を説明する。
【００１２】
前述したように、２は長筒状の外筒体で、この外筒体の内周面２ａには、該外筒体２の母線に沿ってロックカム溝１１が形成されている（図４参照）。実施形態では、略ハの字形あるいは略逆ハの字形の一対のロックカム溝１１が母線に沿って、かつ回転軸線０を基準にして上下の中心部に対称に形成されている。実施形態では外筒体２の上下にロックカム溝１１、１１が設けられていることから、これに対応して一対のロッキングバー１２、１２が上下に配設されている。
【００１３】
図３は、合鍵の挿入方向Ａに直交する第１面で切断した概略縦断面図で、二分割された第１タンブラー４１が見える。また図４は、合鍵の挿入方向Ａに直交する第２面で切断した概略縦断面図で、二分割された第２タンブラー５１が見える。さらに、図５は合鍵の挿入方向Ａに直交する第３面で切断した概略縦断面図で、環状の第３タンブラー６１が見える。前記第３タンブラーも前記第１タンブラー等と同様に左右又は上下に二分割しても良い。
【００１４】
しかして、ロッキングバー１２は、外筒体２のロックカム溝１１に対して係脱する外側の尖頭部１２ａと、この尖頭部に連設形成された内側の係合板部分１２ｂとから成り、内筒体３の外周端部に形成された該内筒体の長手方向の解錠切欠１３に適宜に組み込まれている。そして、図２で示すように、内筒体３の錠先端部４の後方に配設された前側の付勢バネ１４と、錠後端部７の内端部に配設された後側の付勢バネ１４により、各ロッキングバー１２は内筒体３の半径外方向にそれぞれ常時付勢されている。
【００１５】
次に図６は、主に内筒体３を構成する部材を、説明の便宜上、適宜に判り易く示した概略説明図である。実施形態の内筒体３は、中心部にキー孔６を有する錠先端部４と、出力突起片としてのテールピース８を中心部に有する錠後端部７と、この錠後端部７と前記錠先端部４との間に設けられ、かつ該軸線方向と直交する複数の仕切板１６によって区画形成される複数のタンブラー収容部２７並びに複数のタンブラーバネ用収容部２８、不番の仕切板用スロット、軸線方向の解錠切欠１３等を有すると共に、断面弧状の上下の分割体を複数の仕切板等を介して長筒状に形成された内筒本体１５と、この内筒本体に回転軸線方向に沿って列状に併設されていると共に該回転軸線方向と直交し、かつ前記タンブラー収容部２７及びダンブラーバネ収容部２８を形成する複数のトラック形状の仕切板１６と、前記内筒本体１５の一端開口２７ａから差し込まれた前記仕切板１６の中央部の連結孔１８を貫通して前記錠先端部４及び錠後端部７に架設された所定長の連結棒１９と、同じく前記仕切板１６の左右の貫通小孔２１を貫通して前記錠先端部４及び錠後端部７に架設された所定長のガイド兼連結棒２２とから成る。なお、この図６では、第１タンブラー４１も内筒体３と一緒に回転可能であることから、便宜上内筒本体１５と共に図示している。
【００１６】
ここで、図２、図３及び図６を参照にして、さらに内筒体３の構成を説明する。まず図６を参照にすると、錠先端部４は、短筒状のヘッド部分４ａと、このヘッド部分４ａに連設する環状のフランジ部分４ｂを有し、前述したようにその中心部にキー孔６が形成されている。キー孔６の形状や大きさは、合鍵ＹのブレードＢに対応して適宜に形成されている。そして、前記ヘッド部分４ａの先端面は、前記キー孔６に向かってすり鉢形状に形成された案内曲面となっている。また、前記キー孔６の同心円上には、錠先端部４の後端面から内部に向かって所定長の前支持孔２５が形成されている。実施形態では二本の連結棒１９を用いているので、前支持孔２５は所定間隔を有して上下に一対設けられている。
【００１７】
次に図２を参照にすると、２６は錠先端部４のフランジ部分４ｂの後端面に面接触するように内筒本体１５の先端部に組み込まれた防御プレートで、この防御プレート２６は適宜に焼き入れされていると共に、その中心部にキー孔６と一致する不番の中心孔、その中心部寄りの部位に前支持孔２５と一致する不番の挿通孔等が適宜に形成されている。なお、防御プレート２６は、例えば内筒本体１５の先端部の上方に形成された長孔状の切欠部分を介して内筒本体１５内に組み込まれる。
【００１８】
次に図６を基準にすると、内筒本体１５は、ハッチングで示した上下の段差状実体部分１５ａ、１５ａを除き、外周の一端部（図面上、右側）が幅広く、一方、他端部（図面上、左側）が幅狭のタンブラー収容部２７を有している。このタンブラー収容部２７は、前述したように、複数のトラック形状の仕切板１６を内筒本体１５に側壁部分に形成された一端開口２７ａから差し込まれることによって、例えば１１個の仕切り空間として形成される（図２参照）。
【００１９】
しかして、トラック形状の仕切板１６によって区画された一つのタンブラー収容部２７（手前に見える非ハッチングの部分）は、上下のタンブラーバネ用収容部２８と連通すると共に、その上下・左右の幅は、後述する可動障害子（３種類のタンブラー）Ｚの外周形状に対応して適宜に設定される。実施形態では、一つのタンブラー収容部２７の間口に相当する一端開口２７ａは幅広く、上下の段差状ストッパー面１５ｂ、１５ｂ側の奥口に相当する他端開口２７ｂは幅狭である。このタンブラー収容部２７は、実施形態では合鍵Ｙの挿入方向Ａに仕切板１６を介して列状に合計１１個設けられている。
【００２０】
１３は内筒本体１５の上部と下部に対称的に形成された解錠切欠で、この解錠切欠１３は前述した上下の実体部分１５ａ、１５ａの中央部に半径内方向に向かって段差状に形成され、その外側幅広切欠１３ａはロッキングバー１２の尖端部１２ａを嵌合案内し、一方、タンブラー収容部２７と連通する内側幅狭切欠１３ｂは前記ロッキングバー１２の係合板部分１２ｂを嵌合案内する。２８はタンブラー収容部２７内の適宜箇所に形成されたバネ端支持面を有するタンブラーバネ収容部で、実施形態では、上下の段差状実体部分１５ａ、１５ａの内側に対向して水平方向に一対設けられている。
【００２１】
次に同様に図６を参照にして仕切板１６を説明する。なお、設計如何によっては仕切板１６を円形や楕円形に形成し、内筒本体１５の解錠切欠１３と一致する仕切板解錠切欠を形成しても良いが、実施形態では、外観上、図６で示すようなトラック形状に形成している。また設計如何によっては、複数の仕切板１６を内筒本体１５自体に一体形成しても良い。本実施形態では、出願人が提案した特許第４００８３０２号の特許発明（図３、図４）と同様に、内筒本体１５と仕切板１６は別個の部材であり、二つの弧状分割片を一体的に組み合わせて内筒本体１５を形成した後に、該内筒本体１５に多数の仕切板１６を一体的に組み込み、タンブラー収容部２７を区画形成している。
【００２２】
ところで、両端部又は挿入部端（図面上、左端部）が弧状の嵌合突片を有するトラック形状の仕切板１６は、矩形状の連結孔１８、小円形状の貫通小孔２１及び中央部に形成された横長矩形状の案内開口２９を有する。
【００２３】
次に図２と図６を参照にして錠後端部７側の構成を説明する。前述したように、錠後端部７はテールピース８を有するが、該テールピース８は、外筒体２の後端部に設けられたワッシヤーリング３１ａ、ストッパーリング３１ｂ等の止め具３１を介して外筒体２の後端部内に回動自在に嵌合するテールプラグ３２の中心部に取付けられている。
【００２４】
錠後端部７を構成するテールプラグ３２は、錠先端部４と同様に連結棒１９の後端部を支持する後支持孔３３を一対有している。連結棒１９は、内筒本体１５に組み込まれた後述の可動障害子Ｚ及び仕切板１６を貫通した状態で、その先端部は前支持孔２５に、一方、後端部は後支持孔３３に支持され、実施形態では、前記前支持孔２５に組み込まれた連結棒付勢バネ３４によって錠後端部７の方向に付勢されている。またガイド兼連結棒２２も連結棒１９と同様に可動障害子Ｚ及び仕切板１６を貫通した状態で、図示しない前後の支持孔にそれぞれ支持されている。
【００２５】
次に、図７乃至図９を参照にして環状に形成されたタンブラーを説明する。図７は可動障害子Ｚを構成する３種類のタンブラーの内の第１タンブラー４１の正面図である。本発明の特徴事項は、可動障害子Ｚを構成する少なくとも一枚は二分割され、二分割された分割片は内筒体３の回転軸Ｏと直交する軸直角断面上に左右一対のガイド棒２２を介して位置していると共に、これらの分割片に形成された合鍵用の係合部分は、少なくとも互いに異なる形状、又は異なる位置に形成されている点である。実施形態では、図７（図３）に示す第１タンブラー４１は、上下に二分割されており、二分割された上下り分割片４１Ａ、４１Ｂの対向端面にそれぞれ形成された係合部分４５、５５の形状と、位置の両方が異なる。
【００２６】
この図７を基準にして、上方に位置する上方分割片４１Ａと、下方に位置する下方分割片４１Ｂの構成を説明する。まず、上方分割片４１Ａの構成であるが、右側の大きな弧状に形成された右端部（ここでは「一端部４１ａ」とする）は、外筒体２の内周面２ａの曲率に対応して形成されているので、ダンブラーバネ４２に付勢されている状態（施錠状態）では、外筒体２の内周面２ａに圧接する。左側の小さな弧状端面を有する突起状の左端部（ここでは「突起状他端部４１ｂ」とする）は、解錠時、タンブラー収容部２７を構成する左側の他端開口２７ｂに係入可能であると共に、その小さな弧状端面は外筒体２の内周面２ａにも当接可能である。
【００２７】
水平面を有する上側の端部（ここでは「上端部４１ｃ」とする）の略中央部には、上方のロッキングバー１２の係合板部分１２用の受け入れ凹所４８が形成され、一方、水平面を有する下側の対向内端部（ここでは「対向内端部４１ｄ」とする）の一端部４１ａ寄りの部位から突起状他端部４１ｂ寄りの部位まで幅広下向き凹所４４が形成されている。
そして、実施形態では、前記幅広下向き凹所４４の一方の垂直面と前記対向内端部４１ｄの水平面が直交する一つの角部分が係合部分４５（図面上、左側）である。また中央部には連結棒１９用の矩形状貫通孔４６が形成されている。
【００２８】
一方、左右一対のガイド棒２２．２２を介して下方に位置する下方分割片４１Ｂの構成は、上記の上方分割片４１Ａと同様なので、同様の用語と符号を用いて重複する説明を省略する。したがって、下方分割片４１Ｂの各部位について、ここでも「一端部５１ａ」、「突起状他端部５１ｂ」、「下端部５１ｃ」、「対向内端部５１ｄ」、「上向き凹所５４」とする。また中央部には連結棒１９用の矩形状貫通孔４６が形成されていると共に、下端部５１ｃの略中央部には、下方に位置するロッキングバー１２の係合板部分１２が係合する受け入れ凹所４８が形成されている。
【００２９】
そして、実施形態では、前記幅広上向き凹所５４の中央部に形成された小突起が係合部分５５（図面上略中央）である。
【００３０】
なお、第１タンブラー４１が二分割されていない実施形態の場合には、中央部に形成された矩形状の大きな開口が合鍵ＹのブレードＢが貫通する貫通孔となるが、この実施形態の第１タンブラー４１は上下に二分割されているので、上方分割片４１Ａの幅広下向き凹所４４と下方分割片４１Ｂの幅広上向き凹所５４との間の空間部分がブレード用貫通孔４３と成る。
【００３１】
次に図８は第２タンブラー５１の正面図である。この第２タンブラー５１は、一枚の仕切板１６を介して第１タンブラー４１の後方に二分割された状態で並んでいる。図７の第１タンブラー４１と比較すると明らかなように、この第２タンブラー５１は、第１タンブラー４１と同一のものであるが、両者をそれぞれ反転した上で、上方分割片４１Ａを下方に、一方、下方分割片４１Ｂを上方に位置付けている。つまり、上方分割片４１Ａと下方分割片４１Ｂの組み合わせ態様が第１タンブラー４１とは逆になっている。このように、本発明では、異なる形態の分割片を任意に組み合わせることによって多くの種類のシリンダー錠を製作することができる。なお、上下の分割片は、図７と同一構成なので、説明の便宜上同一の符号を付して重複する説明を省略する。以下、同様である。
【００３２】
次に本発明では、内筒体２の回転軸線方向に列状に配設した複数枚のタンブラーの中に環状に形成された板状のタンブラーが含まれていることを特徴とする。そこで、図９は、環状のタンブラーの一例を示す第３タンブラー６１の正面図である。
【００３３】
この第３タンブラー６１は、ブレード用貫通孔６３及び該ブレード用貫通孔６３を形成する左右の垂直端６３ａのいずれか一方の中央部に半径内方向に異なる形状の第３係合部分６５が突設形成されている点及び非分割片の環状プレートである点を除き、その余の構成は前述した第１タンブラー４１や第２タンブラー５１と同様なので、説明の便宜上、第１タンブラー４１と同一の部分には、同一或いは同様の符号を付して重複する説明を割愛する。この第３タンブラー６１の上下左右の各端部について、ここでは「一端部６１ａ」、「突起状他端部６１ｂ」、「上端部６１ｃ」、「下端部６１ｄ」とする。そして、環状プレートの中央部の矩形状開口がブレードＢ用貫通孔６３であり、この貫通孔６３を形成する一方の垂直面の略中央部に山形状に突出形成された小突起が第３係合部分６５である。なお、第３タンブラー６１は二分割されていないので、その左右端部には横方向に一対の案内長孔４７が形成されている。
【００３４】
以上が、可動障害子Ｚを構成する３種類のタンブラー４１、５１、６１で、これらは内筒体３の回転軸線Ｏ方向に仕切板１６を介して任意に配列されている。図１１の（ａ）と（ｂ）と（ｃ）は、第１乃至第３タンブラー４１、５１、６１の配列パターン（例えば便宜上６枚で組み合わせた場合）の一例を示す説明図である。このように、下或いは左右に二分割された可動障害子を任意に組み合わせることによって、鍵違いの増大化を得ることができるシリンダー錠を提供することができる。
【００３５】
図１０は、本発明のシリンダー錠が、内周面２ａにロックカム溝１１を有する外筒体２と、この外筒体２に回動自在に嵌合すると共に半径方向の解錠切欠１３を有する内筒体３と、この内筒体３に設けられていると共に前記ロックカム溝１１と係脱するロッキングバー１２（一つでも良い）と、前記内筒体３のタンブラー収容部２７にダンブラーバネ４２のバネ力に抗して半径方向にスライド自在に設けられ、かつ合鍵ＹのブレードＢの異なる部位にそれぞれ形成された少なくとも３種類の被係合部分（望ましくは大小の切欠溝ａと、波状の長溝ｂと、望ましくは大小の窪みｃ）に対応して係合する３種類の係合部分（第１係合部分４５、第２係合部分５５、第３係合部分６５）をそれぞれ有する少なくとも３種類のタンブラーとから成ることを示す。
【００３６】
そして、上記構成に於いて、前記可動障害子Ｚの少なくとも一枚は二分割され、二分割された分割片４１Ａ、４１Ｂは前記内筒体３の回転軸と直交する軸直角断面上にガイド棒２２を介して位置していると共に、これらの分割片４１Ａ、４１Ｂに形成された前記係合部分４５、５５は、少なくとも互いに異なる形状及び異なる位置に形成されている実施形態であることを示す。
【００３７】
ここで、図１２を参照にして、本発明のシリンダー錠に適合する合鍵Ｙの一例を説明する。この図に於いて、Ｙは合鍵、Ｂはブレード（差し込み部分）、７１は平坦部、７１ａは平坦部の一側上面、７１ｂは平坦部の一側下面、ｂは合鍵のブレードの平面視上或いは斜視上の中央部部分にブレードの挿入方向に沿って波状に形成された長溝、ｃはブレードＢの側面視上の側壁部分の略中央部に形成された窪み、ａは前記長溝ｂと窪みｃとの間に非連通状態に位置し、かつ平面視上或いは斜視上の外周面（一側上面７１）の縁部から中央部寄りの部位に向かって形成された切欠溝である。
【００３８】
付言すると、実施形態の合鍵Ｙは、４つの直線状縁部を有する長板状ブレードＢの平坦部７１の前記縁部分７１ａに幅方向に形成された複数の切欠溝ａと、同じく前記平坦部の中央部部分にブレードＢの挿入方向に沿って一本の波状に形成された長溝ｂと、ブレードＢの側端部の中央部分に形成された複数の窪みｃをそれぞれ有し、一方、実施形態の３種類の可動障害子Ｚは、合鍵ＹのブレードＢの平坦面（実施形態では一側上面及び一側下面）に形成された長溝ｂと左右の側壁面に形成された窪みｃとの間に非連通状態に位置し、かつ平面視上或いは斜視上、直線状縁部から中央部寄りの部位に向かって形成された大小複数の切欠溝ａと係合する第１ダンブラー４１と、合鍵ＹのブレードＢの平面視上或いは斜視上の中央部部分にブレードの挿入方向に沿って波状に形成された前記長溝ｂと係合する第２ダンブラー５１と、合鍵ＹのブレードＢの側面視上の側壁部分に形成された前記窪みｃと係合する第３ダンブラー６１とから成る。
【００３９】
図１３は、３種類の可動障害子Ｘの各係合部分４５、５５、６５との係合関係を概略的に示したものである。
【００４０】
上記構成に於いて、合鍵ＹのブレードＢを内筒体３のキー孔６に差し込んだ時、前記ブレードＢの各被係合部分（切欠溝ａ、長溝ｂ及び窪みｃ）に前記可動障害子Ｚの各係合部分（第１係合部分４５、第２係合部分５５、第３係合部分６５）がそれぞれ係合することにより、所定方向へ移動した該可動障害子Ｚの各受け入れ凹所４８がロッキングバー１２の係合板部分１２ｂに対して完全に一致する。
【００４１】
そして、合鍵Ｙと共に内筒体３を解錠方向へ回動させた時、ロックカム溝１１とロッキングバー１２との間に生じる楔作用により、内筒体３が外筒体２に対して相対回動する。本発明は可動障害子Ｚがタンブラーバネ４２のバネ力に抗して、その受け入れ凹所４８がロッキングバー１２の係合板部分１２ｂと整合する点で、基本的には可動障害子Ｚが外筒体の半径方向にスライドする方式のロータリーディスクタンブラー錠である点で、可動障害子Ｚが支軸を中心にして揺動する振り子式のロータリーディスクタンブラー錠（特許第４００８３０２号の特許発明）とは技術的原理が相違する。
【実施例】
【００４２】
第１実施形態では、第１乃至第３タンブラーの形状を任意に設計変更することができる。そこで、この実施例の欄では、タンブラーの設計変更を幾つか説明する。なお、各第１乃至第３タンブラーのブレード用貫通孔を形成する内周面の形状は、前記ブレードの軸直角断面における外周面の形状に適合するように形成されている。また、第１実施形態の第３タンブラー６１は非円形の環状板であるが、該第３タンブラー６１を第１・第２タンブラー４１、５１と同様に二分割にしても良い。さらに、同一形態（同一種類）の第１乃至第３タンブラーの各係合部分４５、５５、６５の形成位置や大きさを異なるものにしても良い。そこで、念のために、設計変更例を図面と共に、簡単に説明する。なお、説明の便宜上、第１実施形態と同一の部分には、同一或いは同様の符号を付して重複する説明を割愛する。
【００４３】
まず図１４至図１６は、本発明の第２実施形態を示す各説明図である。この第２実施形態に於いて、第１実施形態と主に異なる事項は、図１６で示すように合鍵Ｙ１のブレードＢ１は、長板のものではなく、外周面の一部又は全部が曲線状に形成された棒状のものである点である。この実施形態では、前記ブレードＢ１は「明確な縁部」が存在しない楕円形状に形成されている。そこで、図１４及び図１５で示すように、第１タンブラー４１の上下の分割片４１Ａ、４１Ｂの対向する幅広下向き凹所４４及び幅広上向き凹所５４は、それぞれ所要の開口幅であり、かつ、やや緩やかな曲率を有する弧状凹所４４、５４と成っている。また、上下の分割片４１Ａ、４１Ｂを上下に入れ替えた第２タンブラー５１の対向内端面５１ｄ、４１ｄに形成された弧状凹所５４、４４も同様である。さらに、第３タンブラー６１のブレードブレードＢ１用貫通孔６３も、ブレードの軸直角断面における外周面の形状に対応して楕円形状に形成されている。このように、第１乃至第３タンブラーの形状は合鍵の被係合部分の形状及び位置に対応するものであることから、当然、ブレードＢ１の軸直角断面における外周面の形状に適合するように形成されている。
【００４４】
次に、図１７至図１９は本発明の第３実施形態を示す各説明図である。なお、この第３実施形態では、第１タンブラー４１と第２タンブラー５１は、第１実施形態と同一なので、説明と図面は割愛している。この第３実施形態に於いて、第１実施形態と主に異なる事項は、第３タンブラー６１が、第１・第２のタンブラー４１、５１と同様に上下に二分割されている点である。また、二分割された上方分割片６１Ａと下方分割片６１Ｂには、それぞれ同一形状の係合部分６５が突出形成されている点である。
【００４５】
したがって、タンブラー錠が第３ダンブラー６１を採用した場合に使用される合鍵Ｙ２のブレードＢ２の外形形状は、図１９で示すように、円形乃至多角形のイメージが彷彿されるような外観形状を呈している。
【００４６】
すなわち、この合鍵Ｙ２は、第３ダンブラー６１の突起状の上下の係合部分６５、６５に対応するように、断面トラック形状の左右の側壁部分に上下の窪みｃ、ｃがそれぞれ形成され、これら上下の窪みｃ、ｃは、ブレードＢ２の長手方向（合鍵の挿入方向）に所要間隔を有して複数個形成されている。
【００４７】
最後、図２０乃至図２３は、その他のタンブラーの設計変更を示す各説明図である。なお、タンブラーの形状や位置を変えると多数の実施形態が存在するので、ここでは幾つかを説図するに留める。また、便宜上、援用する実施形態の符号を付して重複する説明を割愛する。
【００４８】
しかして、図２０は第１実施形態で示した第１タンブラー４１の上方分割片４１Ａの係合部分４５の位置がそれぞれ異なるものが複数枚あることを示す概略説明図である。また図２１は第１実施形態で示した第２タンブラー５１の上方分割片４１Ｂの係合部分５５の位置がそれぞれ異なるものが複数枚あることを示す概略説明図である。図２２は第１実施形態で示した第３タンブラー６１の係合部分６５の形状及び位置がそれぞれ異なるものが複数枚あることを示す概略説明図である。そして、図２３は第３実施形態で示した第３タンブラー６１の係合部分６５の形状及び位置がそれぞれ異なるものが複数枚あることを示す概略説明図である。
【００４９】
上記各図から明らかなように、本発明では、同一種類のタンブラーであっても、突起状他端部（４１ｂ、５１ｂ）から係合部分（４５、５５）までの長さＬ１、Ｌ２、Ｌ３をそれぞれ変えるとこにより、前記係合部分（４５、５５）の位置を異なるものにすることができる。また、合鍵の窪みの大きさ、深さに対応して、環状の第３タンブラー６１の係合部分６５の位置Ｌ１、Ｌ２、Ｌ３及び大きさを適宜に変えることができる。したがって、図２３で示すように、例えば第３タンブラー６１を分割した上方分割片６１Ａの係合部分６５の位置Ｌ１、Ｌ２、Ｌ３及び大きさも、当然に変えることができる。
【００５０】
であるから、本発明の可動障害子Ｚの少なくとも一枚は二分割され、二分割された分割片（４１Ａ、４１Ｂ、５１Ａ、５１Ｂ、６１Ａ、６１Ｂ）は内筒体３の回転軸と直交する軸直角断面上にガイド棒２２を介して位置していると共に、これらの分割片に形成された各係合部分（４５、５１、６５）は、少なくとも互いに異なる形状又／及びは異なる位置に形成されている。そして、可動障害子Ｚの中には、環状に形成された板状のタンブラー６１が含まれている（特徴事項）。
【産業上の利用可能性】
【００５１】
本発明は、錠前や建具の分野で利用することができる。
【符号の説明】
【００５２】
Ｘ…タンブラー錠、
Ｙ、Ｙ１、Ｙ２…合鍵、
Ｚ…可動障害子、
Ｂ、Ｂ１、Ｂ２…ブレード、
ａ、ｂ、ｃ…被係合部分（切欠溝ａ、波状長溝ｂ、窪みｃ）、
１…扉、２…外筒体、３…内筒体、
４…錠先端部、６…キー孔、
７…錠後端部７、８…テールピース、
１１…ロックカム溝、
１２…ロッキングバー、１２ａ…尖端部、１２ｂ…係合板部分、
１３…解錠切欠、１４…付勢バネ、
１５…内筒本体、
１６…仕切板
１８…連結孔、
２２…ガイド兼連結棒（ガイド棒）、
２７…タンブラー収容部、
２８…ダンブラーバネ収容部２８、
Ｚ…可動障害子、
４１…第１ダンブラー、
５１…第２ダンブラー、
６１…第３ダンブラー、
４１Ａ、４１Ｂ、５１Ａ、５１Ｂ、６１Ａ、６１Ｂ…分割片、
４２…ダンブラーバネ、
４５、５５、６５…係合部分、
４５…第１係合部分、４７…案内長孔、４７Ａ…切断された空間部分、
４８…受け入れ凹所
５５…第２係合部分、６５…第３係合部分、
７１…平坦部、７１ａ…縁部分。
【図１】
2014163207.tif 000003
【図２】
2014163207.tif 000004
【図３】
2014163207.tif 000005
【図４】
2014163207.tif 000006
【図５】
2014163207.tif 000007
【図６】
2014163207.tif 000008
【図７】
2014163207.tif 000009
【図８】
2014163207.tif 000010
【図９】
2014163207.tif 000011
【図１０】
2014163207.tif 000012
【図１１】
2014163207.tif 000013
【図１２】
2014163207.tif 000014
【図１３】
2014163207.tif 000015
【図１４】
2014163207.tif 000016
【図１５】
2014163207.tif 000017
【図１６】
2014163207.tif 000018
【図１７】
2014163207.tif 000019
【図１８】
2014163207.tif 000020
【図１９】
2014163207.tif 000021
【図２０】
2014163207.tif 000022
【図２１】
2014163207.tif 000023
【図２２】
2014163207.tif 000024
【図２３】
2014163207.tif 000025